(57)【要約】【課題】ロールベーラにより成形・梱包されて圃場に放置される梱包ロールを搬出するための運搬具を、搬出作業の負荷の軽減が得られる簡易な補助具として構成する。【解決手段】梱包ロールＢの軸方向の長さより長く前後に連続する棒状に形成した吊り下げ支持棒１を、前記梱包ロールＢの径方向の巾に対応する間隔をおいて、左右に一対に並列させ、それら吊り下げ支持棒１・１間に、梱包ロールＢを載架する荷受台２を、撓曲自在のシート状乃至帯状に形成して渡架し、それの左右の両端部を吊り下げ支持棒１・１に連結し、左右の吊り下げ支持棒１・１のそれぞれの前後の両端部に、その吊り下げ支持棒１に対しクランク状に屈曲して連続する段付き形状の把持部３を、側面視において左右に対称するように配位して一体乃至一体的に連続させて装設する。【選択図】図１０
2005151883.tif 000002
【特許請求の範囲】
【請求項１】
梱包ロールＢの軸方向の長さより長く前後に連続する棒状に形成した吊り下げ支持棒１を、前記梱包ロールＢの径方向の巾に対応する間隔をおいて、左右に一対に並列させ、それら吊り下げ支持棒１・１間に、梱包ロールＢを載架する荷受台２を、撓曲自在のシート状乃至帯状に形成して渡架し、それの左右の両端部を吊り下げ支持棒１・１に連結し、左右の吊り下げ支持棒１・１のそれぞれの前後の両端部に、その吊り下げ支持棒１に対しクランク状に屈曲して連続する段付き形状の把持部３を、側面視において左右に対称するように配位して一体乃至一体的に連続させて装設したことを特徴とするロールベール運搬具。
【請求項２】
左右に一対の吊り下げ支持棒１・１の周面で、前後の両端部のクランク状に屈曲する把持部３の近傍位置に、吊り下げ支持棒１・１と直交する方向の接地面を具備せしめて座板状に形成したスタンド装置５を、それの接地面がクランク状の把持部３の屈曲部分３ｂに対し前後方向視において逆Ｔ字状に略直交する姿勢で立ち上がるよう配位して装設したことを特徴とする請求項１記載のロールベール運搬具。
【請求項３】
左右に一対に並列する吊り下げ支持棒１・１に渡架する荷受台２を、撓曲自在のバネ板よりなる連結板２０により形成し、その連結板２０の左右の両端部を、吊り下げ支持棒１の周面に設けた連結金具６に一体的に連結し、かつ、その連結を、前後方向視において、連結板２０の端部の板面に対しクランク状の把持部３の屈曲部分３ｂが略直交する姿勢で立ち上がる状態として連結固着することを特徴とする請求項１記載のロールベール運搬具。
【発明の詳細な説明】
【技術分野】
【０００１】
本発明は、ロールベーラによりロールに成形して梱包されて、圃場に放置されたロールベールを、拾い上げて、圃場から搬出する際に、ロールベールを担架するように用いるロールベール運搬具に関する。
【背景技術】
【０００２】
収穫機により刈り倒した飼料作物を、ロールベーラによりロールに成形して、トワイン・またはネットにより梱包した梱包ロールは、通常・成形して梱包した状態でロールベーラから放出して圃場に放置していき、これを、作業員が拾い上げて、圃場の際の農道に待機させておく運搬車・トラックの荷台まで運び、それに積み込んで、収納舎に運搬し、そこで、フィルムによる密封作業を行ってサイレージ貯蔵するようにしている。
【０００３】
飼料作物をロールに成形して梱包する梱包ロールには、飼料自給率の向上と、生産調整水田の有効利用の目的のため、飼料稲によるホールクップサイレージの生産が行われるようになり、この飼料稲による梱包ロールが多くなってきている。
【０００４】
この飼料稲の梱包ロールは、乾燥した低水分の稲わらをロールに成形して梱包する通常の梱包ロールとは異なり、水分含量の多い黄熟期に、殻実と茎葉の全体を、収穫して成形し梱包することから、重量が、４０〜４５ｋｇと重く、しかも、成形される梱包ロールの数が、圃場面積当たりで多くなることにより、圃場に放置された梱包ロールを拾い上げて運搬車・トラックの荷台まで運ぶ作業が、重労働で非効率的作業となる問題がでてきている。
【発明の開示】
【発明が解決しようとする課題】
【０００５】
飼料作物をロールベーラによりロールに成形して梱包し、梱包ロールとして圃場面に放置されるロールベールを、収納舎等の所定の場所に集積するために、圃場に隣接する農道等に待機させておくトラック・運搬車の荷台にまで運搬する作業は、従前にあっては、ロールベーラによりロールの成形・梱包作業が終えたところで、作業員が手で持って運搬することで行っている。
【０００６】
このため、飼料稲によるホールクロップサイレージを生産するときに、それの梱包ロールが、重量が重く、かつ、持ちにくい形状であることで、この運搬作業を、重労働で非効率的にしていることから、この梱包ロールを拾い上げて搬出する作業の負荷を軽減し得るロールベールの運搬具が望まれている。
【０００７】
本発明において解決しようとする課題は、この梱包ロールの搬出作業の負荷の軽減が得られるロールベールの運搬具を、製作コストに殆ど負担がなく、運搬作業の補助具となる簡易な運搬具として構成する点にある。
【課題を解決するための手段】
【０００８】
上述の課題を解決するための手段として、本発明においては、請求項１に記載したように、
梱包ロールＢの軸方向の長さより長く前後に連続する棒状に形成した吊り下げ支持棒１を、前記梱包ロールＢの径方向の巾に対応する間隔をおいて、左右に一対に並列させ、それら吊り下げ支持棒１・１間に、梱包ロールＢを載架する荷受台２を、撓曲自在のシート状乃至帯状に形成して渡架し、それの左右の両端部を吊り下げ支持棒１・１に連結し、左右の吊り下げ支持棒１・１のそれぞれの前後の両端部に、その吊り下げ支持棒１に対しクランク状に屈曲して連続する段付き形状の把持部３を、側面視において左右に対称するように配位して一体乃至一体的に連続させて装設したことを特徴とするロールベール運搬具。
を提起するものである。
【０００９】
また、これに併せて、請求項２に記載した、
左右に一対の吊り下げ支持棒１・１の周面で、前後の両端部のクランク状に屈曲する把持部３の近傍位置に、吊り下げ支持棒１・１と直交する方向の接地面を具備せしめて座板状に形成したスタンド装置５を、それの接地面がクランク状の把持部３の屈曲部分３ｂに対し前後方向視において逆Ｔ字状に略直交する姿勢で立ち上がるよう配位して装設したことを特徴とする請求項１記載のロールベール運搬具。
および請求項３に記載した、
左右に一対に並列する吊り下げ支持棒１・１に渡架する荷受台２を、撓曲自在のバネ板よりなる連結板２０により形成し、その連結板２０の左右の両端部を、吊り下げ支持棒１の周面に設けた連結金具６に一体的に連結し、かつ、その連結を、前後方向視において、連結板２０の端部の板面に対しクランク状の把持部３の屈曲部分３ｂが略直交する姿勢で立ち上がる状態として連結固着することを特徴とする請求項１記載のロールベール運搬具。
を提起するものである。
【発明の効果】
【００１０】
本発明手段によれば、飼料稲によるホールクロップサイレージとして生産する重量のある梱包ロールを搬出するときに、ロールベール運搬具Ａを圃場面に放置されている梱包ロールＢの隣側位置において、それの荷受台２に向け梱包ロールＢを転動させて載架し、左右に一対の吊り下げ支持棒１・１の前後の端部の把持部３…を、前後に位置する二人の作業員が把持して、担架状に持ち上げて搬送し、その状態からトラック・運搬車の荷台上に放出し得るようになるから、重い梱包ロールを、無理な把持姿勢の状態で搬送することから開放され、待機させたトラック・運搬車の荷台に対する積み込みが、楽に、かつ、効率的に行えるようになる。
【００１１】
また、搬送した梱包ロールをサイレージ貯蔵のためフィルムにより密封する作業の際に、その梱包ロールをラッピングマシンに対し供給するときの、供給手段や更には密封ロールの貯蔵場所への搬送手段としても利用でき汎用性の高いものとなる。
【００１２】
また、左右に一対の吊り下げ支持棒１・１の前後の各端部に形設したクランク状に屈曲する把持部３は、梱包ロールＢを荷受台２上に載架して担送するときに、梱包ロールＢを低い位置に支持するようになるから安定して運搬作業ができる。
【００１３】
また、この把持部３は、ロールベール運搬具Ａを圃場面に平らに置いた状態から、左右の吊り下げ支持棒１・１を、左右何れかの方向に少し転動させることで、圃場面から起立した状態に立ち上がり、グリップ３ａを圃場面から浮き上がらせるから、搬送に先立って行う、把持部３を作業員が握る操作を楽なものとする。
【００１４】
また、左右の把持部３の近傍位置に、スタンド装置５を設けたときは、ロールベール運搬具Ａを圃場面に置いたときに、把持部３のグリップ３ａが圃場面から浮き上がった状態となるから、この把持部３を把持する操作を一層楽なものとする。
【００１５】
また、荷受台２を自在に撓曲するバネ板よりなる連結板２０で形成して、その連結板２０を左右の吊り下げ支持棒１・１間に渡架し、左右の端部を吊り下げ支持棒１・１に一体的に連結したときは、ロールベール運搬具Ａを圃場面に平らに置くことで、把持部３のグリップ３ａがバネ板よりなる荷受台２により地表から浮き上がった状態位置に保持されるようになって、把持部３を握る操作が楽になる。
【発明を実施するための最良の形態】
【００１６】
次に実施の態様を詳述する。
本発明によるロールベール運搬具Ａは、図１乃至図３に示しているように、基本的には、左右に一対に並列させる棒状の吊り下げ支持棒１・１と、これらの間に渡架するように連結する屈曲自在のシート状乃至帯状の荷受台２と、前記吊り下げ支持棒１・１の前後の両端部にぞれぞれ装設する把持部３とで、担架状に構成する。
【００１７】
このとき、左右に一対に並列させる吊り下げ支持棒１・１は、通常のロールベーラにより成形・梱包されて圃場面に放出される梱包ロールＢの軸方向の長さより幾分長い長さに形成し、かつ、その梱包ロールＢの径方向の巾に略対応する間隔をおいて並列配位して、これらの間に荷受台２を渡架連結することで担架状に構成し、これを圃場面に平らに載置しておいて、それの荷受台２の上面に、圃場面に放置されている梱包ロールＢを転動させていくことで載架し、左右の吊り下げ支持棒１・１の前後の両端部の間隔内に作業員がそれぞれ入って、その作業員がそれぞれ両手で把持部３を把持して持ち上げることにより梱包ロールＢを担持して搬送するようにする。
【００１８】
左右に一対の吊り下げ支持棒１は、４０〜５０ｋｇ程度の重量となるホールクロップサイレージの形態の梱包ロールＢの担送に耐える強度のものであればよく、木材・合成樹脂材・金属材等の適宜の素材により成形してよい。
【００１９】
また、この吊り下げ支持棒１は、それの前後の両端部の装設しておく把持部３を、前後に位置する各作業員が把持する操作を容易にするために、ロールベール運搬具Ａを圃場面に平らに置いたときの、この把持部３のグリップ３ａが圃場面から浮き上がった位置にあるようにしておくことが望ましく、そのため、図１・図２において鎖線に示しているように、吊り下げ支持棒１の主体部１ａに対してクランク状に屈曲する形状に形成しておく。そして、ロールベール運搬具Ａが圃場面におかれたときに、このクランク状に屈曲する把持部３が、図１において鎖線に示しているように横倒しの姿勢で圃場面におかれた状態となった際に、吊り下げ支持棒１を、それの軸心線中心に転動させることで、吊り下げ支持棒１の端部を持ち上げることなく、この把持部３のグリップ３ａを圃場面から浮き上がった位置に回動してくるようにするため、吊り下げ支持棒１は、それの周面を転動が容易な円形とした丸棒状に成形しておくことが有効である。
【００２０】
しかし、クランク状に形成する把持部３を、吊り下げ支持棒１の主体部１ａに対し一体に連続させずに切り離して、主体部１ａに対し、それの軸心線を回動軸心として回転するように軸着連結しておくときは、吊り下げ支持棒１の主体部１ａを例えば角柱状に形成しておいても、横倒しの姿勢となって圃場面に接した把持部３を起立回動させる操作は容易なものとなる。
【００２１】
また、左右に一対の吊り下げ支持棒１に渡架連結する荷受台２は、それの上面に梱包ロールＢを載架して担送するときに、その梱包ロールＢの周面に馴染むように屈曲するようになればよく、柔軟なシート類に限らず自在に撓曲するバネ板で構成してよいものである。
【実施例１】
【００２２】
図４乃至図６は、本発明を実施せるロール運搬具Ａの１つの実施例を示している。図４は平面図、図５は側面図、図６は縦断後面図で、図において、１は吊り下げ支持棒、２は荷受台、３は把持部を示す。
【００２３】
吊り下げ支持棒１は、この実施例においては、アルミ合金の軽金属材による円筒状のパイプ材で成形してあり、それの主体部１ａが、通常のロールベーラにより成形される梱包ロールＢの軸方向の長さより少し長くなる長さに形成してあって、その主体部１ａの前後の両端部に、該主体部１ａからクランク状に屈曲する把持部３が一体に連続して装設してある。
【００２４】
また荷受台２は、柔軟なシートを用い、それを梱包ロールＢの長さと巾に略対応する形状に裁断し、それの左右の側縁に、前記吊り下げ支持棒１の主体部１ａが嵌入する筒状部２ａを形設して、それを主体部１ａに嵌挿することで、左右の吊り下げ支持棒１に渡架連結してあり、主体部１ａの前後の両端部に組み付ける止め輪状のストッパ４により、嵌挿した筒状部２ａの前後方向のずれを阻止するようにしている。
【００２５】
この例のロールベール運搬具Ａは、圃場面に載置したときに、把持部３が横倒しの姿勢になって圃場面に接地するようになるが、その把持部３を引き起こすように吊り下げ支持棒１を回転させることで、主体部１ａが袋状乃至筒状の筒状部２ａ内で回転して把持部３をそれのグリップ３ａが圃場面から浮き上がった姿勢に変換させ得るようになる。
【実施例２】
【００２６】
この例は、図７乃至図１０に示しているように、左右の吊り下げ支持棒１・１およびそれらに渡架連結するシート類よりなる荷受台２ならびに吊り下げ支持棒１の前後の両端部に、クランク状に屈曲する把持部３をそれぞれ装設して、担架状のロールベール運搬具Ａを構成することについては前述の実施例と変わりがないが、主体部１ａの両端部には、ロールベール運搬具Ａを平らに圃場面ＧＬに置いた状態で、把持部３をそれの屈曲部分３ｂが略垂直に立ち上がる姿勢としたときに、把持部３をその姿勢に保持するよう接地して支持するスタンド装置５を、一体的に連結させて装設した例である。
【００２７】
この例におけるスタンド装置５は、吊り下げ支持棒１の主体部１ａに嵌挿した荷受台２のずれを阻止するよう主体部１ａの両端部に装着するストッパ４を、図１０にあるように両端が左右に張り出す三角板状に形成して、それの底辺となる側に、図８にあるよう側面視においてＬ字形に屈曲する座板５０を一体に連続させて形成しておいて、これを吊り下げ支持棒１に一体的に連結することで構成してあり、ロールベール運搬具Ａを圃場面ＧＬに置くときに、座板５０の底面が接地するように置くことで、吊り下げ支持棒１の前後の両端に設けたクランク状の把持部３が、それの屈曲部分３ｂを略垂直に立ち上げその屈曲部分３ｂの先端側に連続する水平なグリップ３ａを圃場面ＧＬから浮き上がらせた状態位置に保持せしめるようにしている。
【００２８】
従って、この実施例では、ロールベール運搬具Ａを、圃場面に放置されている梱包ロールＢの隣側位置に置き、それの荷受台２の上面に向け梱包ロールＢを転動させて荷受台２の上に載せ、２人の作業員がロールベール運搬具Ａの前後に位置して、浮き上がった位置にある把持部３のグリップ３ａを把持して持ち上げることで梱包ロールＢの担送が行えるようになる。
【実施例３】
【００２９】
次に、図１１乃至図１３は、別の実施例を示している。
この実施例は、左右に一対に並列させる吊り下げ支持棒１・１間に荷受台２を渡架連結し、吊り下げ支持棒１の前後の両端部に、クランク状に屈曲する把持部３をそれぞれ装設して、担架状のロールベール運搬具Ａを構成することについては、前述の各実施例と変わりないが、圃場面ＧＬに置いたときに、クランク状に屈曲する把持部３の水平なグリップ３ａが圃場面ＧＬから浮き上がった位置に保持されるようにするのを、スタンド装置５を設けることなく、一対の吊り下げ支持棒１・１に渡架連結する荷受台２を自在に屈曲するバネ板で構成し、それの左右の両端部を、吊り下げ支持棒１の周面に一体的に連結することで、荷受台２自体を利用して行うようにしている例である。
【００３０】
この例では、左右に一対に並列するように配位する吊り下げ支持棒１には、それの主体部１ａの周面に、それの放射方向に突出する連結金具６を、それの突出方向が吊り下げ支持棒１の両端部に装設せるクランク状に屈曲する把持部３の屈曲部分３ｂの屈曲方向に対し、後面視において略直交するように配位して装設しておいて、この連結金具６が、水平な方向に突出して互いに突き合わされるように一対の吊り下げ支持棒１を並列させ、これら連結金具６・６間に、撓曲自在のバネ板よりなる連結板２０を渡架して、それの左右の端部を連結金具６・６にボルト締めにより一体的に連結することにより、この連結板２０が荷受台２を構成するようにし、これにより、ロールベール運搬具Ａを圃場面ＧＬに平らに置いたときに、図１３にあるようバネ板よりなる連結板２０が圃場面ＧＬに接して略平らな姿勢に伸びることで、クランク状に屈曲する把持部３が圃場面から立ち上がる姿勢となってくるようにした例である。
【００３１】
従って、この実施例においては、吊り下げ支持棒１の両端部に装設した把持部３は、荷受台２自体のバネ性で、圃場面ＧＬから浮き上がった状態に保持される。
【産業上の利用可能性】
【００３２】
圃場に放置されている梱包ロールの運搬具として使用する外、梱包ロールをフィルムによりラッピングするときの、ラッピングマシンに梱包ロールを供給するフィーダーや更には密封ロールの貯蔵場所への搬送手段としても利用できる。
【図面の簡単な説明】
【００３３】
【図１】本発明手段によるロールベール運搬具の、基本的な態様のものの平面図である。
【図２】同上の側面図である。
【図３】同上の縦断後面図である。
【図４】本発明手段によるロールベール運搬具の実施例の平面図である。
【図５】同上の側面図である。
【図６】同上の縦断後面図である。
【図７】別の実施例の平面図である。
【図８】同上実施例の側面図である。
【図９】同上の縦断後面図である。
【図１０】同上の梱包ロールを荷受台上に載架する作業の説明図である。
【図１１】さらに別の実施例の平面図である。
【図１２】同上実施例の側面図である。
【図１３】同上実施例の縦断後面図である。
【符号の説明】
【００３４】
Ａ…ロールベール運搬具、Ｂ…梱包ロール、ＧＬ…圃場面、１…吊り下げ支持棒、１ａ…主体部、２…荷受台、２ａ…筒状部、２０…連結板、３…把持部、３ａ…グリップ、３ｂ…屈曲部分、４…ストッパ、５…スタンド装置、５０…座板、６…連結金具。
【図１】
2005151883.tif 000003
【図２】
2005151883.tif 000004
【図３】
2005151883.tif 000005
【図４】
2005151883.tif 000006
【図５】
2005151883.tif 000007
【図６】
2005151883.tif 000008
【図７】
2005151883.tif 000009
【図８】
2005151883.tif 000010
【図９】
2005151883.tif 000011
【図１０】
2005151883.tif 000012
【図１１】
2005151883.tif 000013
【図１２】
2005151883.tif 000014
【図１３】
2005151883.tif 000015